(57)【要約】      （修正有）【課題】コンテンツサーバーが提供するコンテンツリストをメディアタイプごとにフィルタして表示するコンテンツリスト表示装置を提供する。【解決手段】ステップＳ４０４にてクライアントは、コンテンツ種別が混在した一定数のコンテンツリストをコンテンツサーバーから取得する。ステップＳ４０５にてクライアントは、所望のメディアタイプ（例えば動画）でコンテンツリストをフィルタリング処理を行い、クライアント通し番号の他、サーバー通し番号を有するコンテンツリストを作成する。例えば、フィルタリングによってフィルタリングされたコンテンツリスト中には、クライアント側の通し番号に加え、サーバー側の通し番号についてもコンテンツリストに加える。このようにしてクライアント側の通し番号と、サーバー側の通し番号とを対応付ける。ステップＳ４０８にてコンテンツリストを表示し、終了する。【選択図】図４
2007074240.tif 000002
【特許請求の範囲】
【請求項１】
複数種類のメディアタイプのコンテンツを保持するコンテンツサーバーから前記コンテンツサーバーの通し番号を含んだコンテンツリストを取得するコンテンツリスト取得手段と、
前記コンテンツリスト取得手段により取得した前記コンテンツリストを所望のメディアタイプにてフィルタリングしたコンテンツリストを取得するコンテンツリストフィルタリング手段と、
前記コンテンツリストフィルタリング手段により得られたフィルタリング後のコンテンツリストの各コンテンツに対して、クライアント側の通し番号を対応付ける情報を示す対応付情報を生成する対応付手段と、
前記コンテンツリストフィルタリング手段によりフィルタリングされたコンテンツリストおよび前記対応付手段により生成された対応付情報を、コンテンツを選択するために出力する出力手段とを備えたことを特徴とするコンテンツリスト出力装置。
【請求項２】
更に、前記コンテンツサーバーがメディアタイプにより前記コンテンツリストをフィルタリング可能か否かを判定する判定手段を備え、
前記コンテンツリストフィルタリング手段は、
前記判定手段による判定の結果、前記コンテンツサーバーがメディアタイプによりコンテンツリストをフィルタリング可能であれば、所望のメディアタイプにてコンテンツサーバーにフィルタリングさせ、これにより得られたフィルタリング後のコンテンツリストを取得し、
前記判定手段による判定の結果、前記コンテンツサーバーがメディアタイプによりコンテンツリストをフィルタリング不可能であれば、前記コンテンツリスト取得手段により取得された前記コンテンツリストを所望のメディアタイプにてフィルタリングし、これにより得られたフィルタリング後のコンテンツリストを取得することを特徴とする請求項１記載のコンテンツリスト出力装置。
【請求項３】
前記コンテンツリスト取得手段は、前記コンテンツリストフィルタリング手段が所定の数に達する迄、所定数のコンテンツリスト毎に繰り返し取得してコンテンツリストを取得することを特徴とする請求項１または２に記載のコンテンツリスト出力装置。
【請求項４】
前記出力手段の出力に応じて選択されたコンテンツを、この選択されたコンテンツに対応する前記コンテンツサーバーの通し番号を用いて前記コンテンツサーバーに前記選択されたコンテンツの要求を出すコンテンツ要求手段とを備えたことを特徴とする請求項１乃至３のいずれか１項に記載のコンテンツリスト出力装置。
【請求項５】
複数種類のメディアタイプのコンテンツを保持するコンテンツサーバーから前記コンテンツサーバーの通し番号を含んだコンテンツリストを取得し、
前記取得した前記コンテンツリストを所望のメディアタイプにてフィルタリングし、
このフィルタリングにより得られたコンテンツリストを取得し、
このフィルタリング後のコンテンツリストを、コンテンツを選択するために出力することを特徴とするコンテンツリスト出力装置。
【請求項６】
複数種類のメディアタイプのコンテンツを保持するコンテンツサーバーから前記コンテンツサーバーの通し番号を含んだコンテンツリストを取得し、
この取得した前記コンテンツリストを所望のメディアタイプにてフィルタリングしたコンテンツリストを取得し、
このフィルタリング後のコンテンツリストの各コンテンツに対して、クライアント側の通し番号を対応付ける情報を示す対応付情報を生成し、
前記フィルタリングされたコンテンツリストおよび前記生成された対応付情報を、コンテンツを選択するために出力することを特徴とするコンテンツリスト出力方法。
【発明の詳細な説明】
【技術分野】
【０００１】
この発明は、コンテンツサーバーが提供するコンテンツリストをメディアタイプごとにフィルタして出力するコンテンツリスト出力装置および方法に関する。
【背景技術】
【０００２】
従来、コンテンツサーバー側とクライアント側の両方に情報フィルタリング機能を持つ情報フィルタリングシステムが知られている（例えば、特許文献１参照）。
コンテンツサーバーの持つコンテンツについてクライアントから一連のコンテンツ情報を要求した場合、動画、静止画、音楽等のメディアのタイプを示すメディアタイプを指定し、コンテンツサーバー側で特定のメディアタイプのコンテンツのみを抽出してもらうフィルタリング処理を要求できる場合もある。これはコンテンツサーバー側がフィルタリング処理の要求を受けることができる場合（対応している場合）には抽出することができるものである。しかし、コンテンツサーバー側がフィルタリング処理の要求を受けることができない場合（対応していない場合）には、コンテンツサーバー側で特定のメディアタイプのコンテンツのみを抽出してもらうことができない。コンテンツサーバー側でのフィルタ動作を要求できない場合には、クライアント側でフィルタリング処理を行う必要がある。
【０００３】
クライアント側でフィルタリング処理を行う場合、メモリ制限や動作高速化のためにコンテンツサーバー側からコンテンツリストの一部を取得していき、新たにクライアント側でローカルのコンテンツの通し番号を付与していく。このためコンテンツサーバー側でのコンテンツの通し番号と、クライアント側でのコンテンツの通し番号とが一致するとは限らない。
【０００４】
このようにクライアント側でローカルのコンテンツの通し番号は、コンテンツサーバー側のコンテンツの通し番号とは対応しないため、クライアント側からコンテンツサーバー側のコンテンツを正しく指定することができないという問題があった。
【特許文献１】特開２００４−１３２５８公報
【発明の開示】
【発明が解決しようとする課題】
【０００５】
従来のコンテンツリスト出力装置においては、クライアント側でローカルのコンテンツの通し番号は、コンテンツサーバー側のコンテンツの通し番号とは対応しないため、クライアント側からコンテンツサーバー側のコンテンツを正しく指定することができないという問題があった。
【課題を解決するための手段】
【０００６】
上記の目的を達成するために、この発明においては、複数種類のメディアタイプのコンテンツを保持するコンテンツサーバーから前記コンテンツサーバーの通し番号を含んだコンテンツリストを取得するコンテンツリスト取得手段と、前記コンテンツリスト取得手段により取得した前記コンテンツリストを所望のメディアタイプにてフィルタリングしたコンテンツリストを取得するコンテンツリストフィルタリング手段と、前記コンテンツリストフィルタリング手段により得られたフィルタリング後のコンテンツリストの各コンテンツに対して、クライアント側の通し番号を対応付ける情報を示す対応付情報を生成する対応付手段と、前記コンテンツリストフィルタリング手段によりフィルタリングされたコンテンツリストおよび前記対応付手段により生成された対応付情報を、コンテンツを選択するために出力する出力手段とを備えたことを特徴とするコンテンツリスト出力装置を提供する。
【０００７】
なお、装置に係る本発明は方法に係る発明としても成立し、方法に係る本発明は装置に係る発明
としても成立する。
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【０００８】
この発明によれば、クライアント側からコンテンツサーバー側のコンテンツを正しく指定することができるコンテンツリスト出力装置を提供することができる。
【発明を実施するための最良の形態】
【０００９】
以下、図面を参照しながら本発明の実施形態について説明する。
（第１の実施の形態）
図１は、この発明を適用したデジタルテレビジョン放送受信装置１１１の外観と、このデジタルテレビジョン放送受信装置１１１を中心として構成されるネットワークシステムの一例を概略的に示している。
【００１０】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００１１】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１２】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１３】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１４】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１５】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１６】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、ＰＣ（Personal Computer）１２８、ＨＤＤ内蔵のＤＶＤ（Digital Versatile Disk）レコーダ１２９等の機器を接続し、これらの機器と情報伝送を行なうために使用される。
【００１７】
なお、ＰＣ１２８については、家庭内ネットワークにおいてコンテンツのサーバー機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００１８】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００１９】
さらに、この第２のＬＡＮ端子１２２は、ハブ１２６に接続されたブロードバンドルータ１３１を介して、例えばインターネット等のネットワーク１３２に接続し、このネットワーク１３２を介してサーバー１３３や携帯電話１３４等と情報伝送を行なうために使用される。
【００２０】
なお、サーバー１３３についてはコンテンツのサーバー機器として動作するための機能を持ち、さらにコンテンツのアクセスに必要なＵＲＩ情報を提供するサービスを備えたＵＰｎＰ対応機器として構成される。
【００２１】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２２】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２３】
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２４】
チューナ２４５ａは、制御部２６１からの制御信号により所望のチャンネルの放送信号を選局し、この選局された放送信号をＰＳＫ（Phase Shift Keying）復調器２４５ｂに出力する。
【００２５】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００２６】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号を信号処理部２４７に出力し、デジタル放送により送られている番組を取得するための各種データ（サービス情報），電子番組ガイド（ＥＰＧ）情報，番組属性情報（番組ジャンル等），字幕情報等を制御部２６１へ出力する。
【００２７】
また、地上波放送受信用のアンテナ２４８で受信した地上デジタルテレビジョン放送信号は、入力端子２４９を介して地上デジタル放送用のチューナ２５０ａに供給される。
【００２８】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００２９】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３０】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号を信号処理部２４７に出力し、デジタル放送により送られている番組を取得するための各種データや電子番組ガイド（ＥＰＧ）情報，番組属性情報（番組ジャンル等）等を制御部２６１へ出力する。
【００３１】
また、上記地上波放送受信用のアンテナ２４８で受信した地上アナログテレビジョン放送信号は、入力端子２４９を介して地上アナログ放送用のチューナ２５２ａに供給されることにより、所望のチャンネルの放送信号が選局される。そして、このチューナ２５２ａで選局された放送信号は、アナログ復調器２５２ｂに供給されてアナログの映像信号及び音声信号に復調された後、上記信号処理部２４７に出力される。
【００３２】
ここで、上記信号処理部２４７は、ＰＳＫ復調器２４５ｂ及びＯＦＤＭ復調器２５０ｂからそれぞれ供給されたデジタルの映像信号及び音声信号に対して、選択的に所定のデジタル信号処理を施し、グラフィック処理部２５４及び音声処理部２５５に出力している。
【００３３】
また、上記信号処理部２４７には、複数（図示の場合は４つ）の入力端子２５６ａ，２５６ｂ，２５６ｃ，２５６ｄが接続されている。これら入力端子２５６ａ〜２５６ｄは、それぞれ、アナログの映像信号及び音声信号を、デジタルテレビジョン放送受信装置１１１の外部から入力可能とするものである。
【００３４】
信号処理部２４７は、上記アナログ復調器２５３及び各入力端子２５６ａ〜２５６ｄからそれぞれ供給されたアナログの映像信号及び音声信号を選択的にデジタル化し、このデジタル化された映像信号及び音声信号に対して所定のデジタル信号処理を施した後、グラフィック処理部２５４及び音声処理部２５５に出力する。
【００３５】
グラフィック処理部２５４は、信号処理部２４７から供給されるデジタルの映像信号に、ＯＳＤ（On Screen Display）信号生成部２５７で生成されるＯＳＤ信号を重畳して出力する機能を有する。このグラフィック処理部２５４は、信号処理部２４７の出力映像信号と、ＯＳＤ信号生成部２５７の出力ＯＳＤ信号とを選択的に出力すること、また、両出力をそれぞれ画面の半分を構成するように組み合わせて出力することができる。
【００３６】
また、字幕放送による字幕を表示するとき、グラフィック処理部２５４は、制御部２６１からの制御信号および字幕情報に基づき、映像信号上に字幕情報を重畳する処理を行う。
【００３７】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００３８】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００３９】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００４０】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００４１】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送を行なうことができる。
【００４２】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送を行なうことができる。
【００４３】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送を行なうことができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００４４】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送を行なうことができる。
【００４５】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送を行なうことができる。
【００４６】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送を行なうことができる。
【００４７】
ところで、この実施形態では、ＨＤＤ１２５に初期登録時のＨＤＤ１２５、ＨＤＤ１２７、ＰＣ１２８、ＤＶＤレコーダ１２９それぞれに割り当てられたストレージＩＤ（ＩＰアドレス、機器名を含む）を記述した登録ファイルを記憶保持している。
【００４８】
また、不揮発性メモリ２６１ｃに、ＨＤＤ１２５、ＨＤＤ１２７、ＰＣ１２８、ＤＶＤレコーダ１２９それぞれのストレージＩＤを記憶している。
また、制御部２６１は、この発明に係わる機能として、ＵＰｎＰを利用した（１）サーバー機器発見機能２６１ｄと、（２）ＵＰｎＰを利用したコンテンツ情報取得機能２６１ｅと、（３）コンテンツアクセス制御機能２６１ｆとを備えている。
【００４９】
（１）制御部２６１は、サーバー機器発見機能２６１ｄにより、ＵＰｎＰのディスカバリ機能を用いてネットワーク上のＵＰｎＰ対応機器を発見する。例えばサーバー機器発見機能２６１ｄは、ＵＰｎＰのディスカバリ機能を用いてＰＣ１２８を発見する。
【００５０】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、ＰＣ１２８をコントロールし、ＰＣ１２８内のＨＤＤ等に蓄積されているコンテンツをアクセスするために必要なＵＲＩ情報をＰＣ１２８から取得する。
【００５１】
（３）制御部２６１は、コンテンツアクセス制御機能２６１ｆにより、サーバー機器発見機能２６１ｄにより取得したサーバー機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００５２】
以下、コンテンツリストを取得して表示するときの動作について詳細に説明する。
本発明では、表示するメディアタイプ（動画、静止画、音楽等）でフィルタした結果、得られるコンテンツ情報が一定数に達する迄、ある特定の数を指定してサーバーからコンテンツリストを取得する。なお、このコンテンツリストの取得に当たってクライアント側は、クライアント側からサーバーに対するＵＰｎＰのサーチ応答を基にしてコンテンツリストを作成する。
【００５３】
図３は、クライアント側でコンテンツリストを取得して表示するときの動作を説明するためのフローチャートである。
以下の例では、クライアント側の機器はデジタルテレビジョン放送受信装置１１１であり、コンテンツサーバー側の機器は図１のＰＣ１２８であり、コンテンツリストとして図５に示すコンテンツリストを保持しているものとして説明する。
【００５４】
以下の処理は、詳細には、デジタルテレビジョン放送受信装置１１１内の制御部２６１が処理を行う。
ステップＳ３０１：クライアント（デジタルテレビジョン放送受信装置１１１）は、コンテンツサーバー（ＰＣ１２８）からコンテンツリストのフィルタリング機能を有しているか否かを示すフィルタリング機能情報を、ＵＰｎＰのサーチ能力取得応答を使用して取得する取得する。
【００５５】
ステップＳ３０２：クライアントは、ステップＳ３０１で得たフィルタリング機能情報に基づき、フィルタキーとしてメディアタイプを指定可能か否かを判断する。これは例えば、クライアントがコンテンツサーバーに対して、何についてフィルタリング可能かの問い合わせをし、この問い合わせに対する回答であるフィルタリング機能情報の中に、「メディアタイプ」が含まれているか否かにより判断する。もし、コンテンツサーバーにて「メディアタイプ」にてフィルタリングすることが可能であればステップＳ３０３へ、不可能であればステップＳ３０４へ進む。
【００５６】
ステップＳ３０３：コンテンツサーバー側でメディアタイプのフィルタリング処理が実行できる。この場合には従来と処理は同じとなる。クライアントは、コンテンツサーバー側でメディアタイプのフィルタリング処理を行わせ、所望のメディアタイプ（例えば動画）のみのコンテンツリストをコンテンツサーバー側から受け取る。クライアントはこのコンテンツサーバー側でフィルタリングされたコンテンツリストを映像表示器１１４に表示し、処理を終了する。
【００５７】
ステップＳ３０４：コンテンツサーバー側でメディアタイプのフィルタリング処理が実行できない。クライアントは、コンテンツ種別が混在した図５に示すコンテンツリストを取得し、クライアント側で所望のメディアタイプ（例えば動画）のみにフィルタリングした図６（ａ）に示すコンテンツリストを作成する。クライアントは、このコンテンツリストを基にして図６（ｂ）に示すコンテンツ選択画像を生成して映像表示器１１４に表示し、処理を終了する。このようにステップＳ３０４にて作成されるクライアント側のローカルコンテンツリストには、図６（ａ）に示すようにクライアント側で新たに付与したコンテンツの通し番号と、コンテンツサーバー側でのコンテンツの通し番号の両方を含んでいる。このためクライアント側では、ステップＳ３０４で表示したコンテンツリストを用いて、コンテンツサーバー側の正しいコンテンツの通し番号を得ることができる。
【００５８】
なお、図６（ｂ）では一画面に表示できるコンテンツの数が５件であるため、６件目のコンテンツについては表示されていないが、［→キー］を押すことにより図７に示すように６件目以降のコンテンツリストを表示させることができる。
【００５９】
図６のコンテンツリストを表示しているときに、例えばユーザーが上から２番目の「動画Ｂ」（クライアントローカルのコンテンツの通し番号：「００２」）を再生指示したとする。するとクライアントは、再生指示されたコンテンツに対するコンテンツサーバー側のコンテンツの通し番号である「００３」を用いてコンテンツサーバーに再生指示を送る。この結果、コンテンツサーバーからは「動画Ｂ」のコンテンツがクライアントへ送られ、映像表示器１１４に「動画Ｂ」を再生表示することができる。
【００６０】
なお、本発明のサーバー通し番号とは、必ずしも１から番号が振られるものではなくても良く、サーバー側でコンテンツを識別可能なＩＤであれば何を用いても良い。
【００６１】
以上説明したとおり、本発明によれば、コンテンツサーバー側のコンテンツの通し番号を用いてクライアント側でローカルのコンテンツリストを作成するので、正しいコンテンツサーバー側のコンテンツを指定し、再生等することができる。
【００６２】
（第２の実施の形態）
上記第１の実施の形態では、コンテンツサーバーから全てのコンテンツリストを一度に全部取得した。この第２の実施の形態では、１画面で表示できる数に達するまで、コンテンツサーバーから所定数ずつコンテンツリストを取得する。
【００６３】
図４中、ステップＳ３０１からステップＳ３０３は第１の実施の形態の図３と同じであるため説明を省略する。
ステップＳ３０２にて、フィルタキーとしてコンテンツタイプを指定できない場合、ステップＳ４０４へ進む。
ステップＳ４０４：クライアントは、コンテンツ種別が混在した一定数のコンテンツリストをコンテンツサーバーから取得する。ここでは例えばコンテンツサーバー側のコンテンツの通し番号「００１」から「００５」迄の５つのコンテンツリストを取得するものとして説明する。また、このステップＳ４０４では、次回にコンテンツリストを取得するときのための、コンテンツサーバー側のコンテンツの通し番号をメモリ等に記録する。ここでは次は「００６」なので、「００６」をメモリ等に記録する。
【００６４】
ステップＳ４０５：クライアントは、所望のメディアタイプ（例えば動画）でコンテンツリストをフィルタリング処理を行い、クライアント通し番号の他、サーバー通し番号を有するコンテンツリストを作成する。例えば、フィルタリングによってフィルタリングされたコンテンツリスト中には、図６（ａ）に示すようにクライアント側の通し番号に加え、サーバー側の通し番号についてもコンテンツリストに加える。このようにしてクライアント側の通し番号と、サーバー側の通し番号とを対応付ける。
【００６５】
ステップＳ４０６：所望のメディアタイプのコンテンツ数が表示に必要な一定数（例えば、図６および７の場合には１画面で５つのコンテンツまで表示可能）に到達したか否かを判定する。もし、達していればステップＳ４０８へ進み、達していなければステップＳ４０７へ進む。
【００６６】
ステップＳ４０７：コンテンツサーバーが持つコンテンツリストの内、最後のコンテンツに到達したか否かを判定する。もし、達していればステップＳ４０８へ進み、達していなければステップＳ４０４へ進む。
【００６７】
ステップＳ４０８：コンテンツリストを表示し、終了する。
例えば、コンテンツサーバー側のコンテンツの通し番号「００１」から「００５」迄の５つのコンテンツリストを取得したとしても、「動画」のコンテンツは「動画Ａ」、「動画Ｂ」、「動画Ｃ」の３つしか得られない。このためステップＳ４０６からステップＳ４０７へ進む。ステップＳ４０７ではまだコンテンツサーバーが持つコンテンツリストの内、最後のコンテンツに到達ししていないので、ステップＳ４０４へ戻って更にコンテンツサーバー側のコンテンツの通し番号「００６」から「０１０」迄の５つのコンテンツリストを取得する。このとき、ステップＳ４０４でメモリ等に記録した、コンテンツサーバー側のコンテンツの通し番号「００６」を読出すことにより、読み出し開始時のコンテンツサーバー側のコンテンツの通し番号を取得する。ローカルコンテンツリスト外のコンテンツにアクセスする場合には、ステップＳ４０４でメモリ等に記録した、コンテンツサーバー側のコンテンツの通し番号からアクセスすることで、中間部分（例えばコンテンツサーバー側のコンテンツの通し番号「００１」から「００５」迄）の検索処理を省くことができる。
【００６８】
コンテンツサーバー側のコンテンツの通し番号「０１０」の取得により、「動画」のコンテンツは表示に必要な５つ揃うのでステップＳ４０８へ進み、コンテンツリストの内、最初の５つ「動画Ａ」、「動画Ｂ」、「動画Ｃ」、「動画Ｄ」、「動画Ｅ」を図６（ｂ）に示すように表示する。
【００６９】
なお、図６（ｂ）にてユーザーが次の５つの画面を表示させるために、例えば、リモコン等の「→キー」を押したとする。すると再度ステップＳ４０４から処理を開始し、前回のリストの表示の次（この場合にはコンテンツサーバー側のコンテンツの通し番号「０１１」）から５つのコンテンツリストを取得する。
【００７０】
以上説明したとおり、本発明によれば、コンテンツサーバー側のコンテンツの通し番号を用いてクライアント側でローカルのコンテンツリストを作成するので、正しいコンテンツサーバー側のコンテンツを指定し、再生等することができる。
【００７１】
更に、クライアントは全てのコンテンツリストをコンテンツサーバー側から取得しないので、早くコンテンツリストを表示することができる。
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、第１の実施形態と第２の実施形態とを組み合わせ、所望の番組属性として、ジャンル、チャンネルを組みとしたものとしてもよい。
【図面の簡単な説明】
【００７２】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】第１の実施の形態の動作を説明するためのフローチャートを示す図。
【図４】第２の実施の形態の動作を説明するためのフローチャートを示す図。
【図５】コンテンツサーバー側のコンテンツリストの例を示す図。
【図６】クライアント側でのコンテンツリストの例と、このコンテンツリストを表示した画面の例を示す図。
【図７】クライアント側でのコンテンツリストの例を示す図。
【符号の説明】
【００７３】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８…ＰＣ、１２９…ＤＶＤレコーダ、１３０…アナログ伝送路、１３１…ブロードバンドルータ、１３２…ネットワーク、１３３…サーバー、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ。
【図１】
2007074240.tif 000003
【図２】
2007074240.tif 000004
【図３】
2007074240.tif 000005
【図４】
2007074240.tif 000006
【図５】
2007074240.tif 000007
【図６】
2007074240.tif 000008
【図７】
2007074240.tif 000009